(57)【要約】      （修正有）【課題】運動中でも身につけられ、長さ調節可能で身体のさまざまな部位に装着できる、磁気治療具を提供する。【解決手段】ゴム磁石からなる長尺の線条中実体、前記線条中実体の両端を互いに接続／分離するために当該線条中実体の一端に固着された軟質の樹脂製の雄部８と、当該線条中実体の他端に固着された軟質の樹脂製の雌部５とからなる接続部材とからなり、前記線条中実体が被覆層によって覆われ、前記雄部および雌部が、前記線条中実体が挿嵌・固着された略円筒状部と、該円筒状部と一体的に形成されたフランジ部を介して一体的に形成された先端部とからなり、前記円筒状部とフランジ部との間と、前記フランジ部と先端部との間に円周状の溝が形成されていることを特徴としている。【選択図】図１
2007111322.tif 000002
【特許請求の範囲】
【請求項１】
ゴム磁石からなる長尺の線条中実体、
前記線条中実体の両端を互いに接続／分離するために当該線条中実体の一端に固着された軟質の樹脂製の雄部と、当該線条中実体の他端に固着された軟質の樹脂製の雌部とからなる接続部材と
からなり、
前記線条中実体が被覆層によって覆われ、
前記雌部が、前記線条中実体が挿嵌・固着された略円筒状部と、該円筒状部と一体的に形成されたフランジ部を介して一体的に形成された先端部とからなり、前記円筒状部とフランジ部との間と、前記フランジ部と先端部との間に円周状の溝が形成され、
前記雄部が、前記線条中実体が挿嵌・固着された略円筒状部と、該円筒状部と一体的に形成されたフランジ部を介して一体的に形成された先端部とからなり、前記円筒状部とフランジ部との間と、前記フランジ部と先端部との間に円周状の溝が形成されている
ことを特徴とする磁気治療具。
【請求項２】
前記接続部の雄部と雌部とが対向する雌部側の端面に、開口部を有する穴であって、該穴の深さ方向中間部に
該穴の開口部より小さい直径の狭小部が形成され、
前記接続部材の雄部側の端面から硬質樹脂製の軸が突出し、該軸の先端に、該軸断面の直径より大きい直径を有する略半球状の係合部が、前記雌側の端面から前記略半球状の係合部までの長さが前記雌部の狭小部の深さ以上となるように設けられてなる請求項１記載の磁気治療具。
【請求項３】
前記線条中実体と接続部材との間に軟質樹脂製のスリーブが介装されてなる請求項１または２記載の磁気治療具。
【請求項４】
ゴム磁石からなり、前記長尺の線条中実体より短い線条中実体と、
該短い線条中実体の両端と前記接続部材とを接続／分離するために該短い線条中実体の一端に固着された軟質の樹脂製の雄部と、該短い線条中実体の他端に固着された軟質の樹脂製の雌部とからなる接続部材とからなる長さ調節体をさらに少なくとも１個以上備えてなる請求項１、２または３記載の磁気治療具。
【請求項５】
前記接続部材がガス透過性を有してなる請求項１、２、３または４記載の磁気治療具。
【発明の詳細な説明】
【技術分野】
【０００１】
本発明は磁気治療具に関する。さらに詳しくは、ゴム磁石からなる長尺の線条中実体、前記線条中実体の両端を互いに接続／分離するために当該線条中実体の一端に固着された軟質の樹脂製の雄部、および当該線条中実体の他端に固着された軟質の樹脂製の雌部とからなる接続部材とから構成された磁気治療具の改良に関する。
【背景技術】
【０００２】
磁気治療具として、磁力による健康増進などを目的とした磁気ネックレスや磁気ブレスレットなどが従来使用されている。従来の磁気治療具には金属製磁石（たとえば、特許文献１参照）または磁石をカプセルに入れたもの（たとえば、特許文献２参照）を鎖または金属環でつないだり、着磁体を編み紐に編みこんだものがある。また、ゴム磁石などを素材とした磁気治療具も提案されている（たとえば、特許文献３参照）。
【０００３】
【特許文献１】特開平０９−０８４６１２号公報
【特許文献２】特開平０９−２２０２８９号公報
【特許文献３】特開２００１−３１４２１３号公報
【発明の開示】
【発明が解決しようとする課題】
【０００４】
しかし、金属を露出して使用する磁気治療具は、運動中には身体を傷つけるおそれがあるために使用できない。また、いずれも長さを調節することが簡単にはできず、身体のさまざまな部位、たとえば首ないし肩や手首などに使用するためには、それぞれ別の磁気治療具が必要である。
【０００５】
本発明は、身体を傷つけるおそれがなく運動中でも安全に身につけられ、長さ調節が可能で身体のさまざまな部位に装着できる、磁気治療具を提供することを目的とする。
【課題を解決するための手段】
【０００６】
本発明の磁気治療具は、ゴム磁石からなる長尺の線条中実体、
前記線条中実体の両端を互いに接続／分離するために当該線条中実体の一端に固着された軟質の樹脂製の雄部と、当該線条中実体の他端に固着された軟質の樹脂製の雌部とからなる接続部材と
からなり、
前記線条中実体が被覆層によって覆われ、
前記雌部が、前記線条中実体が挿嵌・固着された略円筒状部と、該円筒状部と一体的に形成されたフランジ部を介して一体的に形成された先端部とからなり、前記円筒状部とフランジ部との間と、前記フランジ部と先端部との間に円周状の溝が形成され、
前記雄部が、前記線条中実体が挿嵌・固着された略円筒状部と、該円筒状部と一体的に形成されたフランジ部を介して一体的に形成された先端部とからなり、前記円筒状部とフランジ部との間と、前記フランジ部と先端部との間に円周状の溝が形成されている
ことを特徴としている。
【０００７】
また、前記接続部の雄部と雌部とが対向する雌部側の端面に、開口部を有する穴であって、該穴の深さ方向中間部に該穴の開口部より小さい直径の狭小部が形成され、前記接続部材の雄部側の端面から硬質樹脂製の軸が突出し、該軸の先端に、該軸断面の直径より大きい直径を有する略半球状の係合部が、前記雌側の端面から前記略半球状の係合部までの長さが前記雌部の狭小部の深さ以上となるように設けられてなることが好ましい。
【０００８】
また、前記線条中実体と接続部材との間に軟質樹脂製のスリーブを介装してもよい。
【０００９】
また、ゴム磁石からなり、前記長尺の線条中実体より短い線条中実体と、該短い線条中実体の両端と前記接続部材とを接続／分離するために該短い線条中実体の一端に固着された軟質の樹脂製の雄部と、該短い線条中実体の他端に固着された軟質の樹脂製の雌部とからなる接続部材とからなる長さ調節体をさらに少なくとも１個以上備えることもできる。
【００１０】
また、前記接続部材がガス透過性を有すると、前記雌部側の端面に設けられた穴に開口部から香水などの芳香性材料を注入しておくと、磁気治療具を首に装着した際に、接続部材の表面から放たれるよい香りを楽しむことができるという利点がある。
【発明の効果】
【００１１】
本発明の磁気治療具は、ゴム磁石からなる長尺の線条中実体、前記線条中実体の両端を互いに接続／分離するために当該線条中実体の一端に固着された軟質の樹脂製の雄部と、当該線条中実体の他端に固着された軟質の樹脂製の雌部とからなる接続部材とからなり、前記線条中実体が被覆層によって覆われており、長尺の線条中実体には可撓性があって表面がやわらかいので、身体を傷つけるおそれがなく運動中でも身につけられ、ある一定以上の強い力がかかるとはずれるので安全である。そのうえ、接続部材に溝が円周状に設けられているので、雌部と雄部の全体にわたって曲げ応力を分散させることができ、線条中実体と接続部材との結合部の応力集中を回避できるため、耐繰り返し曲げ特性が向上する。
【発明を実施するための最良の形態】
【００１２】
以下、図５の（ａ）、（ｂ）および（ｃ）を参照して、参考例および発明の実施の形態を説明する。参考例および実施の形態では、フェライトがゴム中で分散してなるゴム磁石から構成された長尺の線条中実体１が形成され、当該長尺の線条中実体１の断面が直径約３〜８ｍｍの円形を呈し、当該長尺の線条中実体１の表面に厚さ約０．１〜０．５ｍｍのポリウレタン層２が設けられて、線条体３を形成している（図５（ａ）および（ｂ）参照）。フェライトとゴムの混合比率は、フェライトが８０〜９５重量％、ゴムが５〜２０重量％であることが適切である。長尺の線条中実体１の断面において、フェライト粒子を同一方向、たとえば断面上方向に磁化すると仮定すると、フェライト粒子同士の隣接するＮ極とＳ極が打ち消され、長尺の線条中実体表面の上側半分にＮ極性が、下側半分にＳ極性が現われる。このため、長尺の線条中実体１は、長尺の線条中実体１の任意の横断面において、仮想的に図５（ｃ）に示されるように磁化される。磁化の方向は、図５（ｃ）には長さ方向には変化しないように示されているが、Ｎ極から出る磁力線の向きが、長尺の線条中実体１の長さ方向で、たとえば互い違いであったり、螺旋状であったり、ランダムに変化するなど異なる向きであってよく、磁気効果が高くなるように変化を与えることができる。
【００１３】
磁化の強さとして、本実施例では長尺の線条中実体１の表面の磁束密度は４０〜７０ミリテスラである。前記フェライトとゴムの混合比率から、適当な可撓性を得ることができるので身体に装着しやすく、また、磁束密度を適切な範囲内で強くすることができるので、健康増進効果が高い。
【００１４】
なお、以下の実施の形態では長尺の線条中実体１の断面を円形としているが、これに限定されることはなく、楕円、四角、六角など他の形状であってもよい。また、好みに応じて長尺の線条中実体１の表面に着色・模様を付してもよく、これによりデザインが限定されるものではない。
【００１５】
参考例
図６および７は、参考例にかかわる磁気治療具を示す。本参考例では、長尺の線条中実体１の表面に厚さ約０．１〜０．５ｍｍのポリウレタン層２が設けられてなる線条体３の端部に、接続部材を構成する雌部５および雄部８をそれぞれ形成する。軟質エラストマー、たとえばシリコーン樹脂からなる雌部５の端面には、開口部を有する穴６が形成され、穴６の深さ方向中間部に、穴６の開口部より小さい直径の狭小部７が形成されている（図７参照）。雄部８には、該雄部８の端面から突出した、硬質エラストマー、たとえばポリアセタールで形成される軸１０の先端に、該軸１０の断面の直径より大きい直径を有する略半球状の係合部１１が形成されている。雄部８の端面から略半球状の係合部１１までの長さが雌部５の狭小部７の深さよりやや長くなっている（図６参照）。
【００１６】
本参考例における雌部５と雄部８とを嵌合するときには、雄部８に設けられた軸１０の先端（係合部１１）が丸くなっているので、小さい力で挿入できるが、完全に挿入すると、雄部８の係合部１１が雌部５の狭小部７に掛かり、ある程度の力をかけないと引き抜けない。引き抜き力は本参考例の場合、約１５Ｎである。また、雌部５と雄部８とを持って、接合部を引っ張るか、あるいは折り曲げるようにすると、容易にはずすことができる。
【００１７】
図７は、本参考例にかかわる磁気治療具が、環状に接続された形態を示している。
【００１８】
なお、本参考例では、雌部をシリコーン樹脂、雄部の軸をポリアセタールとしたが、これらに限定されるものではなく、雌部を軟質エラストマーとし、雄部の軸１０を、たとえばポリアミドやポリカーボネートなどの硬質エラストマーとすることもできる。
【００１９】
実施の形態１
図１〜６を参照すると、本実施の形態の磁気治療具４は、ゴム磁石からなる長尺の線条中実体１と、線条中実体１の両端を互いに接続／分離するために当該線条中実体の一端に固着された軟質の樹脂製の雄部８と、線条中実体１の他端に固着された軟質の樹脂製の雌部５とから構成されている。なお、本発明において、接続部材は雄部８と雌部５とから構成される。
【００２０】
前述のとおり、長尺の線条中実体１の表面には、厚さ約０．１〜０．５ｍｍのポリウレタン層（被覆層）２が設けられており、長尺の線条中実体１と被覆層２とが線条体３を構成している（図５（ａ）および（ｂ）参照）。
【００２１】
軟質の樹脂からなる雌部５は、前記線条体３が挿嵌・固着された略円筒状部５ａと、円筒状部５ａと一体的に形成されたフランジ部５ｂを介して一体的に形成され、側面が膨出した先端部５ｃとから構成されており、円筒状部５ａとフランジ部５ｂとの間と、フランジ部５ｂと先端部５ｃとの間に円周状の溝Ｓが形成されている。
【００２２】
軟質の樹脂からなる雄部８は、前記線条体３が挿嵌・固着された略円筒状部８ａと、円筒状部８ａと一体的に形成された第１フランジ部８ｂと側面が膨出した膨出体８ｃを介して該膨出体８ｃと一体的に形成された先端部第２フランジ部（先端部）８ｄとから構成されており、円筒状部８ａと第１フランジ部８ｂとの間と、第１フランジ部８ｂと膨出体８ｃとの間、および膨出体８ｃと第２フランジ（先端部）８ｄとの間に円周状の溝Ｓが形成されている。
【００２３】
また、本実施の形態の磁気治療具４は、長尺の軟質の樹脂製の線条中空体２と、線条中空体２内に挿入されたゴム磁石層からなる長尺の線条中実体１とから構成することも可能である。
【００２４】
参考例の磁気治療具と同様に、本実施の形態の磁気治療具４においても、雌部５は軟質エラストマー、たとえばシリコーン樹脂からなり、当該雌部５の端面（すなわち、膨出体５ｃの自由端面）には、開口部を有する穴６が形成されている。そして、穴６の深さ方向中間部に、穴６の開口部より小さい直径の狭小部７が形成されている。
【００２５】
一方、雄部８は、該雄部８の端面（すなわち、第２フランジ部８ｄ）から突出した、硬質エラストマー、たとえばポリアセタールで形成される軸１０の先端に、該軸１０の断面の直径より大きい直径を有する略半球状の係合部１１が形成されている。雄部８の端面から略半球状の係合部１１までの長さが雌部５の狭小部７の深さよりやや長くなっている。
【００２６】
本実施の形態の磁気治療具４の場合、雌部５と雄部８とを嵌合するときには、雄部８に設けられた軸１０の先端（係合部１１）が丸くなっているので、小さい力で挿入できるが、完全に挿入すると、雄部８の係合部１１が雌部５の狭小部７に掛かり、ある程度の力をかけないと引き抜けない。引き抜き力は本参考例の場合、約１５Ｎである。また、雌部５と雄部８とを持って、接合部（すなわち、膨出体５ｃと第２フランジ部８ｄとの間）を引っ張るかあるいは折り曲げるようにすると、容易にはずすことができる。
【００２７】
図４を参照すると、線条体３と接続部材の円筒状部５ａとの間に軟質樹脂製のスリーブ１２を介装することもできる。
【００２８】
また、図２〜３を参照すると、ゴム磁石からなり、前記長尺の線条中実体１より短い線条中実体１ａと、短い線条中実体１ａの両端と、前記磁気治療具４の雌部８とを接続／分離するためにその一端に固着された軟質の樹脂製の雄部８と、短い線条中実体１ａの他端に固着された軟質の樹脂製の雌部５とからなる長さ調節体４ａをさらに備えることもできる。雌部５は軟質エラストマー、たとえばシリコーン樹脂からなり、当該雌部５の端面には、開口部を有する穴６が形成されている。穴６の深さ方向中間部に、穴６の開口部より小さい直径の狭小部７が形成されている。
【００２９】
一方、雄部８は、該雄部８の端面（すなわち、円筒状８ａに隣接して設けられたフランジ部８ｂ）から突出した、硬質エラストマー、たとえばポリアセタールで形成される軸１０の先端に、該軸１０の断面の直径より大きい直径を有する略半球状の係合部１１が形成されている。雄部８の端面から略半球状の係合部１１までの長さが雌部５の狭小部７の深さよりやや長くなっている。
【００３０】
図３に示されるように、長さ調節部材４ａ、４ｂを複数個備えることもできる。
【００３１】
また、雌部５がガス透過性を有すると、雌部５の端面に設けられた穴６に開口部から香水などの芳香性材料を注入しておくと、磁気治療具４を首に装着した際に、雌部５の表面から放たれるよい香りを楽しむことができるという利点がある。
【００３２】
本実施の形態にかかわる磁気治療具４について、雌部５または雄部８の端面から約５ｍｍの部位を固定し、線条体３を前後に各９０°（合計１８０°）折り曲げるという実使用外の過酷折り曲げ試験を行った結果、５００回以上過酷折り曲げを繰り返しても、本発明の構成では雌部５と雄部８の全体にわたって曲げ応力を分散させることができるため、中実体１と雌部５との連結部Ｃにも中実体１と雄部８との連結部Ｃにも破断はみられなかった。
【００３３】
一方、前述の参考例にかかわる磁気治療具について、前記同様の過酷折り曲げ試験を行った結果、約８０回で中実体１と雄部８との連結部Ｃに破断が発生するものもあった。
【図面の簡単な説明】
【００３４】
【図１】本発明の磁気治療具の一例を示す説明図である。
【図２】本発明の磁気治療具に適用される長さ調節部材の説明図である。
【図３】本発明の磁気治療具に長さ調節部材を適用した状態を示す説明図である。
【図４】本発明の磁気治療具の他の例を示す説明図である。
【図５】図１の磁気治療具を構成する中実体を示す説明図である。
【図６】参考例にかかわる磁気治療具の一例を示す説明図である。
【図７】図６の治療具の使用状態を示す説明図である。
【符号の説明】
【００３５】
１  長尺の線条中実体
５  雌部
６  穴
７  狭小部
８  雄部
１０  軸
１１  係合部
【図１】
2007111322.tif 000003
【図２】
2007111322.tif 000004
【図３】
2007111322.tif 000005
【図４】
2007111322.tif 000006
【図５】
2007111322.tif 000007
【図６】
2007111322.tif 000008
【図７】
2007111322.tif 000009